(57)【特許請求の範囲】
【請求項１】
ＩＣカード（３２）を受け入れ又は払い出しをするためのスリット（５２）と、
前記ＩＣカード（３２）と接続して、該ＩＣカード（３２）をデータ処理するための下降自在なコネクタ手段（２２，３４）と、
前記スリット（５２）と前記コネクタ手段（２２，３４）との間に設けられたＩＣカード搬送手段（６，７，ＣＰ）とを備え、
前記ＩＣカード搬送手段は、ローラ（６）と、前記ローラ（６）に対し押し付け状態で設けられ、前記ローラ（６）と協働して、前記ＩＣカード（３２）を前記スリット（５２）から前記コネクタ手段（２２，３４）の方へ搬送すると共に前記コネクタ手段（２２，３４）から前記スリット（５２）の方へと搬送するためのアイドラ（７）とを備え、前記アイドラ（７）が前記ローラ（６）の回りを回動することにより、前記ＩＣカード（３２）は回収位置に運ばれるように構成されているとともに、前記スリット（５２）を開閉する移動可能なシャッタ（５３）と前記シャッタ（５３）を移動させるシャッタ駆動用のソレノイド（ＳＬ２）と、前記シャッタ（５３）の開閉動作を検出するためのセンサ（ＳＨ）から構成されたシャッタ手段が設けられていることを特徴とするＩＣカードの発行装置。
【請求項２】
請求項１において、前記シャッタ手段は、前記シャッタ（５３）、前記ソレノイド（ＳＬ２）、前記センサ（ＳＨ）の他に、さらに外部から前記スリット（５２）に挿入された前記ＩＣカード（３２）の検出及び装置内から外部へ前記スリット（５２）を通り払い出される前記ＩＣカード（３２）を検出するためのセンサ（ＢＺ）と、外部から挿入した前記ＩＣカード（３２）が装置内に受け入れられたことを確認するための受け入れ確認用のセンサ（ＣＳ）を備え、前記シャッタ手段は、外部から装置内へ挿入された前記ＩＣカード（３２）を検出し、前記ＩＣカード（３２）を装置内部への取り込みを可能とするように作動するものであることを特徴とするＩＣカードの発行装置。
【請求項３】
請求項１又は請求項２において、
前記シャッタ手段は、前記ＩＣカード搬送手段（６，７，ＣＰ）の動作によって装置の外へ送り出される前記ＩＣカード（３２）を検出して、前記シャッタ（５３）を開放作動し、開放した前記スリット（５２）を通して前記ＩＣカード（３２）の払い出しを可能とすることを特徴とするＩＣカードの発行装置。
【請求項４】
請求項１乃至請求項３のいずれかにおいて、
前記ＩＣカード搬送手段は、前記ローラ（６）と前記アイドラ（７）と、前記ローラ（６）と同軸に設けた回転自在な回転板（２０）と、該回転板（２０）を回動駆動するための駆動源（３９）とより構成された、データ処理不能のＩＣカード（３２）を装置内部に回収するための回収手段を含むことを特徴とするＩＣカードの発行装置。
【発明の詳細な説明】
【０００１】
【発明の属する技術分野】
本発明は薄手の集積回路チップすなわちＩＣチップを埋め込んだＩＣカードの処理機に関する。
とくに本発明はゲーム場などにおける料金支払いや電車の運賃支払い或いは商品の自動販売機などに使用されるＩＣカードの処理機に関する。
すなわち本発明はＩＣカードそのものを現金のようにして扱うのに好適なＩＣカードの処理機に関する。
本発明は更に具体的には金額データが書き込まれたＩＣカードを使用して種々の支払いをする場合に好適なＩＣカードの処理機に関する。
【０００２】
言い換えると本発明はデータの無いブランクのＩＣカードにデータを書き込んで発行できる発行機に関する。
【従来の技術】
これまでにＩＣカードを処理するための装置としては種々のものが開発されて来ている。
たとえば本件出願人の特願平１０−１８６７９５にはＩＣカードの発行装置が開示されている。
このＩＣカード発行装置は少なくとも、外部から挿入されたＩＣカードをデータ処理するためのコネクタ手段と、このコネクタ手段に前記挿入されたＩＣカードを接続するための手段と、前記コネクタ手段によってデータ処理されたＩＣカードを外部に払い出すための手段と、を備えていることを特徴としている。
【０００３】
さらに当該ＩＣカード発行装置は少なくとも、重ねられたＩＣカードの最も下あるいは外側に位置するＩＣカードのみを払い出すための手段と、該払い出されたＩＣカードをデータ処理するためのコネクタ手段と、このコネクタ手段に前記払い出されたＩＣカードを接続するための手段と、前記コネクタ手段によってデータ処理されたＩＣカードを外部に払い出すための手段と、を備えていることを特徴としている。
一方、ＩＣチップを内蔵したＩＣカードは超小形コンピュータとメモリとを備えているため今後ますます市場の拡大が予想されて来ている。
【発明が解決しようとする課題】
【０００４】
本発明の目的はカード払い出し装置に簡単な構成を付加することによりＩＣカードをデータ処理して払い出しできるようにした装置の提供にある。
また本発明の他の目的は装置の外部から挿入されたＩＣカードをデータ処理して該ＩＣカードを発行できる装置の提供にある。
具体的には本発明は前述したＩＣカード発行装置の改良を目的に開発されたものである。
さらに具体的には本発明は前述したＩＣカード発行装置の構成を簡単化すると共にＩＣカード処理時のセキュリティを確保する目的から開発されたものである。
【課題を解決するための手段】
【０００５】
本発明は、ＩＣカードを受け入れ又は払い出しをするためのスリットと、前記ＩＣカードと接続して、該ＩＣカードをデータ処理するための下降自在なコネクタ手段と、前記スリットと前記コネクタ手段との間に設けられたＩＣカード搬送手段とを備え、前記ＩＣカード搬送手段は、ローラと、前記ローラに対し押し付け状態で設けられ、前記ローラと協働して、前記ＩＣカードを前記スリットから前記コネクタ手段の方へ搬送すると共に前記コネクタ手段から前記スリットの方へと搬送するためのアイドラとを備え、前記アイドラが前記ローラの回りを回動することにより、前記ＩＣカードは回収位置に運ばれるように構成されているとともに、前記スリットを開閉する移動可能なシャッタと前記シャッタを移動させるシャッタ駆動用のソレノイドと、前記シャッタの開閉動作を検出するためのセンサから構成されたシャッタ手段が設けられていることを特徴とするＩＣカードの発行装置である。
また本発明は、前記シャッタ手段は、前記シャッタ、前記ソレノイド、前記センサの他に、さらに外部から前記スリットに挿入された前記ＩＣカードの検出及び装置内から外部へ前記スリットを通り払い出される前記ＩＣカードを検出するためのセンサと、外部から挿入した前記ＩＣカードが装置内に受け入れられたことを確認するための受け入れ確認用のセンサを備え、前記シャッタ手段は、外部から装置内へ挿入された前記ＩＣカードを検出し、前記ＩＣカードを装置内部への取り込みを可能とするように作動するものであることを特徴とするＩＣカードの発行装置である。
さらに本発明は、前記シャッタ手段は、前記ＩＣカード搬送手段の動作によって装置の外へ送り出される前記ＩＣカードを検出して、前記シャッタを開放作動し、開放した前記スリットを通して前記ＩＣカードの払い出しを可能とするものであることを特徴とするＩＣカードの発行装置である。
【０００６】
さらにまた本発明は、前記ＩＣカード搬送手段は、前記ローラと前記アイドラと、前記ローラと同軸に設けた回転自在な回転板と、該回転板を回動駆動するための駆動源とより構成された、データ処理不能のＩＣカードを装置内部に回収するための回収手段を含むことを特徴とするＩＣカードの発行装置である。
【発明の実施の形態】
以下に本発明を其の実施について添付の図面を参照しつつ説明する。
図１は本発明による一実施例を示す概略的な斜視図である。
図２は図１の一部を取り除いて示す概略的な斜視図である。
図３は図２の要部を取り出して示す概略的な斜視図である。
図４は図１の要部を取り出して示す概略的な側面図である。
図５は図１の実施例に使用されるブロック回路図である。
【０００７】
ここで此等の図面に基づいて本実施例の全体を概略的に説明する。
図１の大きなＬ形の一対の板は当該装置を構成するサイド板４１と４２である。サイド板４１と４２との間の右上部には多数のＩＣカード３２が柱状に積み上げられたスタック２８が収納されている。
なおＩＣカード３２には薄い集積回路チップすなわちＩＣチップ（図示略）が適所に埋め込まれている。
そして当該ＩＣチップ接続用のパッド３３がＩＣカード３２の表面に形成されている。
本実施例の場合、パッド３３の数は八個であるが六個でも其の他の個数でも良いことは勿論である。
【０００８】
サイド板４１と４２と間のほぼ中央にはＩＣカード３２を払い出すためのギア付きの電気モータ３８が内蔵されている（図２を参照）。
電気モータ３８の出力軸である回動軸にはプリー１４が外装されている。
図２右上に示される符号１はＩＣカード３２を送り出すためのローラである。
このローラ１はシャフト８に回転自在に外装されサイドにクラッチ機構を有している。
シャフト８には溝付きプリー形のクラッチ８Ｃ（図２を参照）が取り付けられ該クラッチ８Ｃはシャフト８と同動する。
クラッチ８Ｃは其の溝に填るアーム（図示略）を介在してソレノイドＳＬ１（図４を参照）の操作によりローラ１と連結自在になる。
【０００９】
またシャフト８の端部にはプリー１３が外装されている。
なおローラ１の近くにはＩＣカード３２が無くなったことを検知するセンサＥＭが配設されている（図４を参照）。
すなわちエンプティ用のセンサＥＭはスタック２８が無くなったときに重りで動く振り子を検出する。
スタック２８の下からＩＣカード３２を繰り出すためのローラ１の近くには一対のローラ４が配設されている（図２を参照）。
なお繰り出されたＩＣカード３２を送るためのローラ４は長手のシャフト１０を介在して当該装置に回転自在に配設されている。
そしてシャフト１０の右端部には段付きのプリー１５が外装されている。
【００１０】
またＩＣカード払い出し用のローラ４の上方にはそれぞれＩＣカード押さえ用の小形のアイドラ５が回転可能に配設されている。
そして駆動源である電気モータ３８のプリー１４ならびにプリー１３および段付きプリー１５の小径部にはベルト２４が掛け渡されている。
図２中央左に示される符号１７もプリーであって該プリー１７ならびに段付きプリー１５の大径部にもベルト１９が掛け渡されている。
そしてプリー１７も長手のシャフト１２の端部に外装されている。
このシャフト１２の中央にもＩＣカード３２を移動するための一対のローラ６が外装されている。
【００１１】
また長手のシャフト１２のプリー１７側には径の大きなギア板２０が回転自在に外装されている。
さらに長手のシャフト１２の他端部にも矩形板のフランジ２１が回転自在に外装されている。
なお一対になるギア板２０ならびにフランジ２１はサイド板４１と４２の外側にそれぞれ配置されている（図１を参照）。
またギア板２０とフランジ２１との間にはシャフト１１が固定されている。
このシャフト１１には一対のローラ６に対応してＩＣカード３２を押さえるための一対の小形のアイドラ７が回転自在に外装されている。
【００１２】
さらにギア板２０とフランジ２１と間には補強用の棒４０が結合されている（図２を参照）。
またシャフト１１には矩形板が屈曲されたガイドＧが取り付けられている（図１を参照）。
このガイドＧは受け枠２３からのＩＣカード３２をローラ６上に導くためのものである。
図２下左に示される符号３９は小形の電気モータである。
この電気モータ３９は例えば不良品のＩＣカード３２を当該装置の内部に回収するための駆動源になっている。
電気モータ３９の回動軸にはピニオン２５が外装され該ピニオン２５は径の大きなギア板２０と噛み合っている。
【００１３】
一対になるサイド板４１と４２の左端間には矩形の蓋板５１が固定されている（図１を参照）。
この蓋板５１の上部にはＩＣカード３２を通過するための横長のスリット５２が形成されている（図３を参照）。
さらに蓋板５１の外表面には角リング形のシャッタ５３がスプリング（図示略）を介在して昇降自在に配設されている。
このシャッタ５３はＩＣカード３２を通過するためのスリット５２を開閉するためのものである。
蓋板５１の上部には更に横長角リング形の受け枠２３が固定されている。
【００１４】
この受け枠２３は当該装置に挿入されるＩＣカード３２を当該装置内にガイドするためのものである。
図１ほぼ中央に示される横長角筒形のものはハウジングＨである。
このハウジングＨ内には後記するようにＩＣカード３２用のコネクタ２２が移動自在に収納されている。
すなわち板形のコネクタ２２はハウジングＨ内でほぼ横方向にスライド可能に且つ上方向に回転可能に収納されている（図４を参照）。
具体的にはハウジングＨの各サイドには二個の小溝Ｇが形成されている（図１を参照）。
【００１５】
スタック２８側の小溝ＧはほぼＬ形であり受け枠２３側の小溝Ｇは平らなＬ形である。
そしてコネクタ２２は各サイドに複数個の小さな突起Ｌを有している（図４を参照）。
スタック２８側の突起Ｌは長くシャッタ５３側の突起Ｌは短く形成されている。そして長い突起Ｌの外端部には復帰用のスプリング（図示略）が掛け止められている。
コネクタ２２下面のスタック２３側の各角部には一対の小さなフック３４がそれぞれ形成されている（図４を参照）。
【００１６】
これらのフック３４はＩＣカード３２の端の両角部を掛け止めるためのものである。
なおコネクタ２２の下面には複数個の例えば八個のコンタクトＣが配設されている（図４を参照）。
そしてコンタクトＣはフレキシブルなワイアＷを介在してハウジングＨの上部に接続されている。
言い換えると板形のコネクタ２２はコンタクトＣとの接続ボードを兼ねていることになる。
図５は図１に示される本実施例のブロック回路図である。
図５左に示される符号ＨＣはホスト機（図示略）のコントローラである。
【００１７】
このホスト・コントローラＨＣに接続されている図中央のＭＣは当該実施例装置のコントローラである。そして当該コントローラＭＣには図４に示された電気モータならびにソレノイドおよびセンサがそれぞれ接続されている。なおコネクタ２２のみはホスト・コントローラＨＣに接続されている。また電気モータ３８と３９はそれぞれ駆動回路ＭＤを介在して正回転ならびに逆回転が制御される。またソレノイドＳＬ１とＳＬ２はそれぞれ駆動回路ＳＤを介在して操作が制御される。
【００１８】
ここで上述の構成からなる本実施例の動作について主として図６ならびに図７に基づいて説明する。
たとえばホスト・コントローラＨＣからＩＣカード３２の払い出し信号があるとソレノイドＳＬ２が動作されてシャッタ５３はスリット５２を閉じる（ステップＴ１）。
一方、電気モータ３８が正回転されてプリー１４が回動されベルト２４を介在してプリー１５ならびにプリー１３がそれぞれ回転される。
他方、ソレノドＳＬ１が動作されてクラッチ８Ｃを介在してローラ１が回転されることになる（図４を参照）。
【００１９】
この結果、スタック２８の最も下のＩＣカード３２がローラ１のやや長い突部Ｐによって送り出されることになる（ステップＴ２）。
突部Ｐによって送り出されたＩＣカード３２の前端はローラ４とアイドラ５の間に送り込まれる。
回動するローラ４とアイドラ５とによってピックアップされたＩＣカード３２は更にコネクタ２２の方向に送り出される。
なお此のときにはソレノイドＳＬ１はオフにされてクラッチ８Ｃが外れシャフト８は回動するもののローラ１は回転していない。
こうしてローラ４とアイドラ５とによって送り出されたＩＣカード３２の前端はコネクタ２２のフック３４をヒットする（ステップＴ３）。
【００２０】
このとき当該コネクタ２２のフック３４はスプリングに抗して少し上方に移動されることになる（図４を参照）。
したがってＩＣカード３２は其のまま進み該ＩＣカード３２の前端は回動するローラ６とアイドラ７とによってピックアップされる。
ピックアップされたＩＣカード３２はローラ６とアイドラ７とのみによってシャッタ５３の方向に送り出される。
ＩＣカード３２がフック３４を通過して其の前端が位置センサＣＰにて検出されると電気モータ３８は逆回転される（ステップＴ４）。
電気モータ３８の逆回転によってローラ６とアイドラ７も逆回転しＩＣカード３２はフック３４方向に戻される（ステップＴ５）。
【００２１】
戻されているＩＣカード３２がフック３４に当たって当該コネクタ２２はスプリングに抗してスタック２８方向でやや斜め下方に移動される（図４を参照）。
この結果、ＩＣカード３２のパッド３３がコネクタ２２のコンタクトＣに接触することになる。
ほぼ同時にコネクタ２２の前縁がセンサＯ／Ｌによって検出されることになる。この検出が確認されるとローラ６すなわち電気モータ３８の回転が停止されることになる（ステップＴ６）。
一方、センサＯ／Ｌの検知信号が装置コントローラＭＣを介在してホストコントローラＨＣに送出される。
【００２２】
すなわちＩＣカード３２のパッド３３がコネクタ２２のコンタクトＣに接続されたことが確認される。
この状態のときに当該ＩＣカード３２内のデータ処理が行われることになる（ステップＴ７）。
すなわちコネクタ２２を介在してコントローラＨＣによってＩＣカード３２内のチップ（図示略）にデータの書き込み・読み出しなどが行われる。
主のコントローラＨＣとＩＣカード３２とのデータ通信が成功し完了すると該コントローラＨＣから信号が副のコントローラＭＣに送出される。
この信号があると副コントローラＭＣは駆動回路ＭＤを介在して電気モータ３８を正回転する。
【００２３】
この結果、ＩＣカード３２はローラ６とアイドラ７とによって再びシャッタ５３の方向に送られる（ステップＴ１１）。
なお此のときコネクタ２２はスプリング（図示略）によって元の位置に戻されることは勿論である。
シャッタ５３方向に送られたＩＣカード３２がセンサＣＰによって検出されるとソレノイドＳＬ２を介在して該シャッタ５３が開かれる（ステップＴ１２）。
ＩＣカード３２がスリット５２を通りセンサＢＺによって検出されると電気モータ３８は停止される（ステップＴ１３）。
この状態のときに手指によってＩＣカード３２が受け枠２３から引き出されると再びセンサＢＺが作動される（ステップＴ１４）。
【００２４】
たとえばシャッタ５３はスリット５２を閉じることになる（ステップＴ１５）。なお上述したプロセスは主副のコントローラＨＣとＭＣのプログラムによって行われることは勿論である。
ここでＩＣカード３２が受け枠２３から当該装置内に挿入される場合について述べる（ステップＴ２１）。
当該ＩＣカード３２の前端がセンサＢＺに検出されると（ステップＴ２２）シャッタ５３は開口される（ステップＴ２３）。
かくしてＩＣカード３２はスリット５２を通って装置内に挿入される（ステップＴ２４）。
【００２５】
挿入されたＩＣカード３２が受け入れ確認用のセンサＣＳによって検出されると電気モータ３８が逆回転される（ステップＴ２５）。
電気モータ３８の逆回転によってローラ６とアイドラ７も逆回転しピックアップされたＩＣカード３２はフック３４方向に送られる（ステップＴ２６）。
ＩＣカード３２がフック３４に当たってコネクタ２２はスプリングに抗してスタック２８方向でやや下斜め方向に移動される（図４を参照）。
この結果、ＩＣカード３２のパッド３３がコネクタ２２のコンタクトＣに接触することになる。
ほぼ同時にコネクタ２２の前縁がセンサＯ／Ｌによって検出される。
【００２６】
この検出が確認されるとローラ６すなわち電気モータ３８の回転が停止されることになる（ステップＴ２７）。
こうして前述と同様にＩＣカード３２内のデータ処理が行われることになる（ステップＴ７）。
そして説明を省略したが例えば前述と同様にしてステップＴ１１からステップＴ１５のプロセスが遂行される。
ホスト・コントローラＨＣとＩＣカード３２との通信が成功しなかった場合には当該ＩＣカード３２は回収される。
具体的にはＩＣカード３２が不良品である場合が考えられる。
またＩＣカード３２がスタック時の配置方向が適切でない場合が考えられる。
具体的にはスタック時のＩＣカード３２の裏表面が逆などが考えられる。
【００２７】
こうした時には主コントロールＨＣから回収信号が副コントロールＭＣに送出される。
この回収信号があるとコントローラＭＣによってモータ３８は正回転される。
この結果、回収されるＩＣカード３２はローラ６とアイドラ７とによって受け枠２３方向に送られる（ステップＴ３１）。
回収ＩＣカード３２が受け枠２３方向に送られ其の前端が位置センサＣＰに検出されると電気モータ３８は停止される（ステップＴ３２）。
ほぼ同時に装置・コントローラＭＣによって電気モータ３９が駆動されピニオン２５がギア２０をシャフト１２まわりに正回転する。
【００２８】
この結果、アイドラ７のシャフト１１はローラ６の回りを回動することになる。ＩＣカード３２はローラ６とアイドラ７とに挟まれているため水平状態から約４０度の傾斜状態になる（図示略）。
このときセンサＣＲ２がギア２０の縁部の切り欠きを検出して電気モータ３９の回動を停止する。
ほぼ同時に電気モータ３８が逆回転されてローラ６は逆回転され回収ＩＣカード３２は図の下方に回収される（ステップＴ３３）。
こののち電気モータ３９が逆回転されピニオン２５を介在してギア２０すなわちアイドラ７が元の位置に戻される。
【００２９】
アイドラ７が元の位置に戻されるとセンサＣＲ１がギア２０の縁部の切り欠きを検出する。
このセンサＣＲ１の切り欠き検出によって電気モータ３９の回動が停止され元の状態に復帰される。
こののち例えばシャッタ５３はスリット５２を閉じることになる（ステップＴ３４）。
なおシャッタ５３のセンサＳＨは当該シャッタ５３の開閉動作を検出するためのものである。
またセンサＯ／Ｌはスタック２８からＩＣカード３２が払い出されたか否かを検出するためにも使用され得ることは勿論である。
【００３０】
【発明の効果】
以上のようになる本発明はカードを払い出しできる装置に簡単な構成を付加することによってデータ処理して発行できるという効果が得られる。
加えて本発明は外部から挿入されたＩＣカードをデータ処理し再び発行できるという実用上の利点が得られる。
さらに本発明によるとＩＣカード処理機の構成を簡単化すると共にＩＣカード処理時のセキュリティを確保できるという大きな効果が得られる。
【図面の簡単な説明】
【図１】図１は本発明による一実施例を示す概略的な斜視図である。
【図２】図２は図１の一部を取り除いて示す概略的な斜視図である。
【図３】図３は図２の要部を取り出して示す概略的な斜視図である。
【図４】図４は図１の要部を取り出して示す概略的な側視図である。
【図５】図５は図１の実施例に使用されるブロック回路図である。
【図６】図６は本実施例の動作を説明するためのフロー図である。
【図７】図７も本実施例の動作を説明するためのフロー図である。
【符号の説明】
２８：スタック、
３２：ＩＣカード、
３３：パッド、
シャッタ手段・・・・・・・・５３：シャッタ、ＳＨ：センサ、
コネクタ手段・・・・・・・・２２：コネクタ、３４：フック、
ＩＣカード接続手段・・・・・６：ローラ、７：アイドラ、Ｏ／Ｌ：センサ、
ＩＣカード払い出し手段・・・６：ローラ、７：アイドラ、ＣＰ：センサ、
ＩＣカード回収手段・・・・・６：ローラ、７：アイドラ、３９：電気モータ
【図１】
0004003006.tif 000002
【図２】
0004003006.tif 000003
【図３】
0004003006.tif 000004
【図４】
0004003006.tif 000005
【図５】
0004003006.tif 000006
【図６】
0004003006.tif 000007
【図７】
0004003006.tif 000008